(57)【要約】【課題】複数のクラブを整然と収容することができ、クラブ同士が互いに干渉することがなく、しかも使い勝手が良好で優れた利便性を発揮することが可能なゴルフ用キャディーバッグ１を提供する。【解決手段】各１本のクラブをグリップ側から差し込んで収容する複数のパイプ状保持具２２を有し、第１および第２パイプ列２２Ａ，２２Ｂはアイアンおよびパター収納用、第３パイプ列２２Ｃはウッド収納用とする。キャスタ１２および接地部１３を設けたバッグ底部１１を有する。保持具２２の上端部に列毎の高低差を設定し、また軟質材よりなるヘッド保護体２３を設け、一部の保護体２３にはヘッドを係合する切欠部２４を向きを揃えて設ける。列間には間隔を設定して小物入れ３１を設ける。一の列２２Ｃは隣の列２２Ｂに対して連結具４１を介して傾倒可能とする。【選択図】図７
2007054336.tif 000002
【特許請求の範囲】
【請求項１】
複数のゴルフクラブを収容して持ち運びするためのゴルフ用キャディーバッグ（１）であって、
各１本のクラブをグリップ側から差し込んで収容する複数のパイプ状保持具（２２）を有し、前記複数のパイプ状保持具（２２）を整列配置してなることを特徴とするゴルフ用キャディーバッグ。
【請求項２】
請求項１のゴルフ用キャディーバッグにおいて、
複数のパイプ状保持具（２２）は、３列に整列配置され、このうち２列（２２Ａ）（２２Ｂ）はアイアンクラブおよびパタークラブ収納用、残る１例（２２Ｃ）はウッドクラブ収納用とされていることを特徴とするゴルフ用キャディーバッグ。
【請求項３】
請求項１または２の何れかに記載したゴルフ用キャディーバッグにおいて、
当該バッグ（１）を引き摺って走行させるためのキャスタ（１２）および前記キャスタ（１２）とともに当該バッグ（１）を自立させるための接地部（１３）を設けたバッグ底部（１１）を有し、前記底部（１１）上に複数のパイプ状保持具（２２）を整列配置してなることを特徴とするゴルフ用キャディーバッグ。
【請求項４】
請求項１または２何れかに記載したゴルフ用キャディーバッグにおいて、
パイプ状保持具（２２）に収容したクラブのヘッド同士が干渉して傷付くことがないように前記保持具（２２）の上端部には保持具毎または列毎の高低差が設定されていることを特徴とするゴルフ用キャディーバッグ。
【請求項５】
請求項１または２の何れかに記載したゴルフ用キャディーバッグにおいて、
パイプ状保持具（２２）に収容したクラブのヘッドが前記保持具（２２）の上端部と擦れ合って傷付くことがないように前記保持具（２２）の上端部には軟質材よりなるヘッド保護体（２３）が設けられていることを特徴とするゴルフ用キャディーバッグ。
【請求項６】
請求項１または２の何れかに記載したゴルフ用キャディーバッグにおいて、
パイプ状保持具（２２）に収容したクラブのヘッドが前記保持具（２２）の上端部と擦れ合って傷付くことがないように前記保持具（２２）の上端部には軟質材よりなるヘッド保護体（２３）が設けられ、このうち一部の列に属するヘッド保護体（２３）にはヘッドの向きを揃えて収容すべくヘッドを係合するための切欠部（２４）が向きを揃えて設けられていることを特徴とするゴルフ用キャディーバッグ。
【請求項７】
請求項１または２の何れかに記載したゴルフ用キャディーバッグにおいて、
パイプ状保持具（２２）に収容したクラブのヘッドが前記保持具（２２）の上端部と擦れ合って傷付くことがないように前記保持具（２２）の上端部には軟質材よりなるヘッド保護体（２３）が設けられ、このうち一部の列に属するヘッド保護体（２３）にはヘッドの向きを揃えて収容すべくヘッドを係合するための切欠部（２４）（２５）が向きを揃えてかつ１８０度対称位置に２箇所ずつ設けられていることを特徴とするゴルフ用キャディーバッグ。
【請求項８】
請求項１または２の何れかに記載したゴルフ用キャディーバッグにおいて、
パイプ状保持具（２２）の列（２２Ａ）（２２Ｂ）間には間隔（ｃ１）が設定され、ここにボールや衣服等の小物を収容するための小物入れ（３１）が設けられていることを特徴とするゴルフ用キャディーバッグ。
【請求項９】
請求項１または２の何れかに記載したゴルフ用キャディーバッグにおいて、
パイプ状保持具（２２）の列（２２Ａ）（２２Ｂ）間には間隔（ｃ１）が設定され、ここにボールや衣服等の小物を収容するための小物入れ（３１）が設けられ、前記小物入れ（３１）は上下方向に複数段の収容部（３３）を有し、このうち最上段の収容部（３３）はその上面に開口部（３３ａ）を有し、他の収容部（３３）はその横手側面に開口部（３３ｂ）を有することを特徴とするゴルフ用キャディーバッグ。
【請求項１０】
請求項１または２の何れかに記載したゴルフ用キャディーバッグにおいて、
パイプ状保持具（２２）の一の列（２２Ｃ）は、隣の列（２２Ｂ）に対して連結具（４１）を介して連結され、この連結具（４１）の作動により、その上端部が隣の列（２２Ｂ）の上端部から離れる方向に所定の角度（θ）をもって傾倒可能とされていることを特徴とするゴルフ用キャディーバッグ。
【請求項１１】
複数のゴルフクラブを収容して持ち運びするためのゴルフ用キャディーバッグ（１）であって、
各１本のクラブをグリップ側から差し込んで収容する複数のパイプ状保持具（２２）を有し、前記複数の保持具（２２）は、第１パイプ列（２２Ａ）、第２パイプ列（２２Ｂ）および第３パイプ列（２２Ｃ）よりなる３列に整列配置され、このうち第１パイプ列（２２Ａ）および第２パイプ列（２２Ｂ）はアイアンクラブおよびパタークラブ収納用、第３パイプ列（２２Ｃ）はウッドクラブ収納用とされ、
当該バッグ（１）を引き摺って走行させるためのキャスタ（１２）および前記キャスタ（１２）とともに当該バッグ（１）を自立させるための接地部（１３）を設けたバッグ底部（１１）を有し、前記底部（１１）上に前記複数の保持具（２２）を整列配置し、
前記保持具（２２）に収容したクラブのヘッド同士が干渉して傷付くことがないように前記保持具（２２）の上端部には列毎の高低差が設定され、
前記保持具（２２）に収容したクラブのヘッドが前記保持具（２２）の上端部と擦れ合って傷付くことがないように前記保持具（２２）の上端部には軟質材よりなるヘッド保護体（２３）が設けられ、このうち第２パイプ列（２２Ｂ）に属するヘッド保護体（２３）にはヘッドの向きを揃えて収容すべくヘッドを係合するための切欠部（２４）が向きを揃えて設けられるとともに、第１パイプ列（２２Ａ）に属するヘッド保護体（２３）にはヘッドの向きを揃えて収容すべくヘッドを係合するための切欠部（２４）（２５）が向きを揃えてかつ１８０度対称位置に２箇所ずつ設けられ、
前記第１パイプ列（２２Ａ）と第２パイプ列（２２Ｂ）との間には間隔（ｃ１）が設定され、ここにボールや衣服等の小物を収容するための小物入れ（３１）が設けられ、
前記第３パイプ列（２２Ｃ）は、隣の第２パイプ列（２２Ｂ）に対して連結具（４１）を介して連結され、この連結具（４１）の作動により、その上端部が第２パイプ列（２２Ｂ）の上端部から離れる方向に所定の角度（θ）をもって傾倒可能とされていることを特徴とするゴルフ用キャディーバッグ。
【請求項１２】
請求項１ないし１１の何れかに記載したゴルフ用キャディーバッグにおいて、
パイプ状保持具（２２）は、そのほぼ全長に亙って当該バッグ（１）の外部から視認可能であって当該バッグ（１）の外観上の構成要素をなしていることを特徴とするゴルフ用キャディーバッグ。
【発明の詳細な説明】
【技術分野】
【０００１】
本発明は、ゴルフ道具の一種であるキャディーバッグに関し、複数のゴルフクラブを収容して持ち運びするために用いられるゴルフ用キャディーバッグに関するものである。
【背景技術】
【０００２】
図１６に示すように、従来公知のゴルフ用キャディーバッグ５１は、バッグ本体５２の上端開口部に板状の仕切り部５３を有し、この仕切り部５３に設けた複数の穴部５４にゴルフクラブ５５を１本ずつ差し込むように構成されている。したがって、穴部５４に対して各クラブ５５を真っ直ぐに差し込めばクラブ５５同士は干渉しないが、斜めに差し込んだりあるいは移動中にバッグ５１が傾いたりするとクラブ５５同士が干渉し、よってガチャガチャと異音が発生したりあるいはクラブ５５が傷付いたりする不都合がある。
【０００３】
【特許文献１】特開平７−４７１５３号公報
【発明の開示】
【発明が解決しようとする課題】
【０００４】
本発明は以上の点に鑑みて、複数のクラブを整然と収容することができ、クラブ同士が互いに干渉することがなく、しかも使い勝手が良好で優れた利便性を発揮することが可能なゴルフ用キャディーバッグを提供することを目的とする。
【課題を解決するための手段】
【０００５】
上記目的を達成するため、本発明の請求項１によるキャディーバッグは、複数のゴルフクラブを収容して持ち運びするためのゴルフ用キャディーバッグであって、各１本のクラブをグリップ側から差し込んで収容する複数のパイプ状保持具を有し、前記複数のパイプ状保持具を整列配置してなることを特徴とする。
【０００６】
また、本発明の請求項２によるキャディーバッグは、上記した請求項１のゴルフ用キャディーバッグにおいて、複数のパイプ状保持具は、３列に整列配置され、このうち２列はアイアンクラブおよびパタークラブ収納用、残る１列はウッドクラブ収納用とされていることを特徴とする。
【０００７】
また、本発明の請求項３によるキャディーバッグは、上記した請求項１または２の何れかに記載したゴルフ用キャディーバッグにおいて、当該バッグを引き摺って走行させるためのキャスタおよび前記キャスタとともに当該バッグを自立させるための接地部を設けたバッグ底部を有し、前記底部上に複数のパイプ状保持具を整列配置してなることを特徴とする。
【０００８】
また、本発明の請求項４によるキャディーバッグは、上記した請求項１または２の何れかに記載したゴルフ用キャディーバッグにおいて、パイプ状保持具に収容したクラブのヘッド同士が干渉して傷付くことがないように前記保持具の上端部には保持具毎または列毎の高低差が設定されていることを特徴とする。
【０００９】
また、本発明の請求項５によるキャディーバッグは、上記した請求項１または
２の何れかに記載したゴルフ用キャディーバッグにおいて、パイプ状保持具に収容したクラブのヘッドが前記保持具の上端部と擦れ合って傷付くことがないように前記保持具の上端部には軟質材よりなるヘッド保護体が設けられていることを特徴とする。
【００１０】
また、本発明の請求項６によるキャディーバッグは、上記した請求項１または２の何れかに記載したゴルフ用キャディーバッグにおいて、パイプ状保持具に収容したクラブのヘッドが前記保持具の上端部と擦れ合って傷付くことがないように前記保持具の上端部には軟質材よりなるヘッド保護体が設けられ、このうち一部の列に属するヘッド保護体にはヘッドの向きを揃えて収容すべくヘッドを係合するための切欠部が向きを揃えて設けられていることを特徴とする。
【００１１】
また、本発明の請求項７によるキャディーバッグは、上記した請求項１または２の何れかに記載したゴルフ用キャディーバッグにおいて、パイプ状保持具に収容したクラブのヘッドが前記保持具の上端部と擦れ合って傷付くことがないように前記保持具の上端部には軟質材よりなるヘッド保護体が設けられ、このうち一部の列に属するヘッド保護体にはヘッドの向きを揃えて収容すべくヘッドを係合するための切欠部が向きを揃えてかつ１８０度対称位置に２箇所ずつ設けられていることを特徴とする。
【００１２】
また、本発明の請求項８によるキャディーバッグは、上記した請求項１または２の何れかに記載したゴルフ用キャディーバッグにおいて、パイプ状保持具の列間には間隔が設定され、ここにボールや衣服等の小物を収容するための小物入れが設けられていることを特徴とする。
【００１３】
また、本発明の請求項９によるキャディーバッグは、上記した請求項１または２の何れかに記載したゴルフ用キャディーバッグにおいて、パイプ状保持具の列間には間隔が設定され、ここにボールや衣服等の小物を収容するための小物入れが設けられ、前記小物入れは上下方向に複数段の収容部を有し、このうち最上段の収容部はその上面に開口部を有し、他の収容部はその横手側面に開口部を有することを特徴とする。
【００１４】
また、本発明の請求項１０によるキャディーバッグは、上記した請求項１または２の何れかに記載したゴルフ用キャディーバッグにおいて、パイプ状保持具の一の列は、隣の列に対して連結具を介して連結され、この連結具の作動により、その上端部が隣の列の上端部から離れる方向に所定の角度をもって傾倒可能とされていることを特徴とする。
【００１５】
また、本発明の請求項１１によるキャディーバッグは、複数のゴルフクラブを収容して持ち運びするためのゴルフ用キャディーバッグであって、各１本のクラブをグリップ側から差し込んで収容する複数のパイプ状保持具を有し、前記複数の保持具は、第１パイプ列、第２パイプ列および第３パイプ列よりなる３列に整列配置され、このうち第１パイプ列および第２パイプ列はアイアンクラブおよびパタークラブ収納用、第３パイプ列はウッドクラブ収納用とされ、当該バッグを引き摺って走行させるためのキャスタおよび前記キャスタとともに当該バッグを自立させるための接地部を設けたバッグ底部を有し、前記底部上に前記複数の保持具を整列配置し、前記保持具に収容したクラブのヘッド同士が干渉して傷付くことがないように前記保持具の上端部には列毎の高低差が設定され、前記保持具に収容したクラブのヘッドが前記保持具の上端部と擦れ合って傷付くことがないように前記保持具の上端部には軟質材よりなるヘッド保護体が設けられ、このうち第２パイプ列に属するヘッド保護体にはヘッドの向きを揃えて収容すべくヘッドを係合するための切欠部が向きを揃えて設けられるとともに、第１パイプ列に属するヘッド保護体にはヘッドの向きを揃えて収容すべくヘッドを係合するための切欠部が向きを揃えてかつ１８０度対称位置に２箇所ずつ設けられ、前記第１パイプ列と第２パイプ列との間には間隔が設定され、ここにボールや衣服等の小物を収容するための小物入れが設けられ、前記第３パイプ列は、隣の第２パイプ列に対して連結具を介して連結され、この連結具の作動により、その上端部が第２パイプ列の上端部から離れる方向に所定の角度をもって傾倒可能とされていることを特徴とする。
【００１６】
更にまた、本発明の請求項１２によるキャディーバッグは、上記した請求項１ないし１１の何れかに記載したゴルフ用キャディーバッグにおいて、パイプ状保持具は、そのほぼ全長に亙って当該バッグの外部から視認可能であって当該バッグの外観上の構成要素をなしていることを特徴とする。
【００１７】
上記構成を備えた本発明のキャディーバッグは、各１本のクラブをそのグリップ側から差し込んで収容する複数のパイプ状保持具を有しているので、このパイプ状保持具にクラブを１本ずつ差し込んで収容する。パイプ状保持具は硬質材よりなり自立性を有しているので、上方から差し込んだクラブをそのまま保持することが可能とされている。また、複数のパイプ状保持具は整列配置されているので、１本ずつ差し込んだクラブ群も整列配置され、クラブはシャフト同士が干渉することがない。例えば１セット１４本のクラブを収容するバッグの場合にはパイプ状保持具も１４本が整列配置されるが、このとき特にパイプ状保持具を３列に整列配置して、このうちの２列をアイアンクラブおよびパタークラブ収納用とするとともに残る１例をウッドクラブ収納用とすると、クラブを種類ごとに整列配置することが可能となる。
【００１８】
また、バッグを引き摺って走行させるためのキャスタおよびこのキャスタとともにバッグを自立させるための接地部を設けたバッグ底部を有する場合には、キャスタを設けたことによりバッグを引き摺って走行させることが可能となり、キャスタおよび接地部を設けたことによりバッグを自立させることが可能となる。
【００１９】
また、パイプ状保持具に収容したクラブのヘッド同士が干渉して傷付くことがないようにパイプ状保持具の上端部に保持具毎または列毎の高低差を設定した場合には、収納したクラブはヘッドが上記高低差により異なる高さ位置に保持される。
【００２０】
また、パイプ状保持具に収容したクラブのヘッドがパイプ状保持具の上端部と擦れ合って傷付くことがないようにパイプ状保持具の上端部に軟質材よりなるヘッド保護体を設けた場合には、収納したクラブはヘッドが上記保護体に接触し、よってパイプ状保持具の上端部と擦れ合うことがない。
【００２１】
また、一部の列に属するヘッド保護体にヘッドの向きを揃えて収容すべくヘッドを係合するための切欠部を向きを揃えて設けた場合には、収容したクラブはヘッドの向きが揃えて並べられる。
【００２２】
また、上記保護体に切欠部を１８０度対称位置に２箇所ずつ設けた場合には、何れの切欠部を使用してもヘッドの向きを揃えて並べることができ、また何れの切欠部を使用するかによってヘッドを揃える向きを選択することが可能となる。
【００２３】
また、パイプ状保持具の列間に間隔を設定してここにボールや衣服等の小物を収容するための小物入れを設けた場合には、バッグにボールや衣服等の各種の小物を収容することが可能となる。
【００２４】
また、上記小物入れに上下複数段の収容部を設け、このうち最上段の収容部はその上面に開口部を有し、他の収容部はその横手側面に開口部を有するものとすると、上下複数段に亙る収容部ごとに小物を収容することが可能となる。
【００２５】
また、パイプ状保持具の一の列を隣の列に対して連結具を介して連結し、この連結具の作動により一の列の上端部を隣の列の上端部から離れる方向に所定の角度をもって傾倒可能とすると、一の列を傾倒させることにより、この一の列の上端部を必要なときのみ隣の列の上端部から離間させることが可能となる。
【００２６】
更にまた、パイプ状保持具がそのほぼ全長に亙って当該バッグの外部から視認可能であって当該バッグの外観上の構成要素をなしていると、当該バッグにおいては、このパイプ状保持具がバッグの外面を形成することになる。
【発明の効果】
【００２７】
本発明は、以下の効果を奏する。
【００２８】
すなわち、本発明の請求項１によるキャディーバッグにおいては、各１本のクラブをグリップ側から差し込んで収容する複数のパイプ状保持具が設けられているために、このパイプ状保持具にクラブを１本ずつ差し込んで収容することにより、複数のクラブを整然と収容することが可能とされている。したがって、収容したクラブのシャフト同士が干渉して異音が発生したり傷付いたりするのを防止することができ、またプレー時においてもクラブの選定、出し入れ、本数確認等を行ない易いメリットがある。また、パイプ状保持具は整列配置され、直接または間接に互いに連結されているので、収納したクラブを引き抜くときに一緒に引き抜かれることはない。
【００２９】
また、本発明の請求項２によるキャディーバッグにおいては併せて、複数のパイプ状保持具が３列に整列配置され、このうち２列はアイアンクラブおよびパタークラブ収納用、残る１列はウッドクラブ収納用とされているために、クラブを種類ごとに整列配置することが可能とされている。したがって、複数のクラブを種類ごとに整然と収容することができ、上記クラブの選定や出し入れ等を一層容易化することができる。
【００３０】
また、本発明の請求項３によるキャディーバッグにおいては併せて、バッグを引き摺って走行させるためのキャスタおよびこのキャスタとともにバッグを自立させるための接地部を設けたバッグ底部が設けられているために、キャスタによって当該バッグを引き摺って走行させることが可能とされ、キャスタおよび接地部によって当該バッグを自立させることが可能とされている。したがって、バッグを単に持ち運びするのみでなく引き摺って走行させたり自立させたりすることができるので、バッグ全体の取り扱いの観点からして利便性を向上させることができる。
【００３１】
また、本発明の請求項４によるキャディーバッグにおいては併せて、パイプ状保持具に収容したクラブのヘッド同士が干渉して傷付くことがないようにパイプ状保持具の上端部に保持具毎または列毎の高低差が設定されているために、収納したクラブのヘッドを異なる高さ位置に保持することが可能とされている。したがって、収納したクラブのヘッド同士が干渉するのを防止することができ、ヘッド同士が干渉して異音が発生したり傷付いたりするのを未然に防止することができる。
【００３２】
また、本発明の請求項５によるキャディーバッグにおいては併せて、パイプ状保持具に収容したクラブのヘッドがパイプ状保持具の上端部と擦れ合って傷付くことがないようにパイプ状保持具の上端部に軟質材よりなるヘッド保護体が設けられているために、収納したクラブのヘッドがパイプ状保持具の上端部と擦れ合うのを防止することが可能とされている。したがって、収納したクラブのヘッドがパイプ状保持具と擦れ合って傷付くのを未然に防止することができる。
【００３３】
また、本発明の請求項６によるキャディーバッグにおいては併せて、パイプ状保持具に収容したクラブのヘッドがパイプ状保持具の上端部と擦れ合って傷付くことがないようにパイプ状保持具の上端部に軟質材よりなるヘッド保護体が設けられているために、収納したクラブのヘッドがパイプ状保持具の上端部と擦れ合うのを防止することが可能とされている。したがって、収納したクラブのヘッドがパイプ状保持具と擦れ合って傷付くのを未然に防止することができる。またこれに加えて、一部の列に属するヘッド保護体にヘッドの向きを揃えて収容すべくヘッドを係合するための切欠部が向きを揃えて設けられているために、ヘッドの向きを揃えて並べることができ、ヘッド同士が干渉するのを防止することが可能とされている。したがって、収納したクラブのヘッドを同じ向きに整然と並べることができるとともに、ヘッド同士が干渉して異音が発生したり傷付いたりするのを未然に防止することができる。
【００３４】
また、本発明の請求項７によるキャディーバッグにおいては併せて、パイプ状保持具に収容したクラブのヘッドがパイプ状保持具の上端部と擦れ合って傷付くことがないようにパイプ状保持具の上端部に軟質材よりなるヘッド保護体が設けられているために、収納したクラブのヘッドがパイプ状保持具の上端部と擦れ合うのを防止することが可能とされている。したがって、収納したヘッドがパイプ状保持具と擦れ合って傷付くのを未然に防止することができる。またこれに加えて、一部の列に属するヘッド保護体にヘッドの向きを揃えて収容すべくヘッドを係合するための切欠部が向きを揃えて設けられているために、ヘッドの向きを揃えて並べることができ、ヘッド同士が干渉するのを防止することが可能とされている。したがって、収納したクラブのヘッドを同じ向きに整然と並べることができるとともに、ヘッド同士が干渉して異音が発生したり傷付いたりするのを未然に防止することができる。また更に加えて、ヘッド保護体に切欠部が１８０度対称位置に２箇所ずつ設けられているために、この対称配置された切欠部の何れを使用するかによってヘッドを揃える向きを選択することが可能とされている。したがって、プレー時には、クラブを出し入れし易い向き、バッグ移送時などプレーしていないときには、クラブをコンパクトに収容できる向きに揃えると云うように使い分けをすることが可能となり、よってこの分、利便性を向上させることができる。
【００３５】
また、本発明の請求項８によるキャディーバッグにおいては併せて、パイプ状保持具の列間に間隔が設定されてここにボールや衣服等の小物を収容するための小物入れが設けられているために、当該バッグにはボールや衣服等の各種の小物を収容することが可能とされている。したがって、バッグの収容性能の観点からして利便性を向上させることができる。
【００３６】
また、本発明の請求項９によるキャディーバッグにおいては併せて、パイプ状保持具の列間に間隔が設定されてここにボールや衣服等の小物を収容するための小物入れが設けられているために、当該バッグにはボールや衣服等の各種の小物を収容することが可能とされている。したがって、バッグの収容性能の観点からして利便性を向上させることができる。またこれに加えて、小物入れに上下複数段の収容部が設けられ、このうち最上段の収容部はその上面の開口部を有し、他の収容部はその横手側面に開口部を有しているために、収容部ごとに小物を収容することが可能とされている。したがって、バッグの収容性能の観点からして利便性を一層向上させることができる。
【００３７】
また、本発明の請求項１０によるキャディーバッグにおいては併せて、パイプ状保持具の一の列が隣の列に対して連結具を介して連結され、この連結具の作動により上端部が隣の列の上端部から離れる方向に所定の角度をもって傾倒可能とされているために、一の列を傾倒させることによりこの一の列の上端部を必要なときのみ隣の列の上端部から離間させることが可能とされている。したがって、バッグ移送時などプレーしていないときには一の列を隣の列に近付けておくことによりコンパクトな収容が可能となる。また、プレー時には一の列を傾倒させて隣の列から離間させることにより一の列の保持具の上端開口部を隣の列の保持具の上端開口部から離間させることができ、クラブの出し入れを容易化することができる。
【００３８】
また、本発明の請求項１１によるキャディーバッグにおいては、上記構成により上記請求項１ないし８および１０の作用効果を何れも奏することができる。
【００３９】
更にまた、本発明の請求項１２によるキャディーバッグにおいては、パイプ状保持具がそのほぼ全長に亙って当該バッグの外部から視認可能であって当該バッグの外観上の構成要素をなすものとされているために、当該バッグにおいては、このパイプ状保持具がバッグの外面を形成し、よってこの保持具を被覆する被覆体を設ける必要がない。したがって、クラブを１本ずつ仕分け収納する機能を有するパイプ状保持具がそのままバッグの外面を兼ねると云う特徴的構造を有するキャディーバッグを提供することができる。
【発明を実施するための最良の形態】
【００４０】
つぎに本発明の実施例を図面にしたがって説明する。
【００４１】
図１ないし図３は、本発明の実施例に係るゴルフ用キャディーバッグ１の正六面図を示しており、また図４および図５はそれぞれ同バッグ１の斜視図を示している。当該実施例に係るバッグ１は、その構成要素として、底部１１、中央構造体２１およびキャップ体５１等を有しており、図５の斜視図からキャップ体５１を取り除くと図６に示すようになる。尚、実際にはキャップ体５１は連結ベルト５２を介して中央構造体２１に連結されているので、中央構造体２１からキャップ体５１を取り外すと図７ないし図９に示すようになる。また、これら図７ないし図９は、後記するように第３パイプ列２２Ｃを傾倒動作させた状態を示している。当該バッグ１は縦長の長方体を基調として形状構成されており、底部１１上に中央構造体２１が載せられ、中央構造体２１の上部にキャップ体５１が着脱自在に被せられている。また、中央構造体２１には、バッグ移送時に用いる取手５３が所要数取り付けられている。
【００４２】
底部１１は、硬質樹脂または金属等の硬質材によって平面四角形状を呈する１枚の受け皿状に形成されており、その下面に、当該バッグ１を引き摺って走行させるためのキャスタ１２と、キャスタ１２とともに当該バッグ１を自立させるための接地部１３とが設けられている。キャスタ１２は左右一対の転動輪を備えるとともに接地部１３は左右一対の下向き凸部を備えており、これら転動輪および凸部が平面四角形の底部１１の四隅に配置されることによりバッグ１の安定の良い自立が可能とされている。接地部１３は、接地姿勢においてこれを滑らせ易いよう下端面を球面状に形成されている。尚、この底部１１を受け皿状と称したのは、後記するようにこの底部１１に上方からパイプ状保持具２２の下端部が差し込まれ、もってパイプ状保持具２２を受けるかたちで保持しているからである。
【００４３】
中央構造体２１は先ず、各１本のクラブをグリップ側から差し込んで収容するためのパイプ状保持具２２を複数有しており、当該実施例ではこの保持具２２が１４本整列配置されている。保持具２２はそれぞれ、硬質樹脂または金属等の硬質材によって中空の円筒状に形成されており、クラブをグリップ側から差し込んで保持するのに十分な長さを有している。
【００４４】
１４本の保持具２２は、図７および図１０に良く示されるように、５本の保持具２２を１列に並べたバッグ正面側の第１パイプ列２２Ａと、同じく５本の保持具２２を１列に並べた中央の第２パイプ列２２Ｂと、４本の保持具２２を１列に並べたバッグ背面側の第３パイプ列２２Ｃとに分かれて上方から見て平面格子状に整列配置されており、このうち第１パイプ列２２Ａおよび第２パイプ列２２Ｂの２列はアイアンクラブおよびパタークラブ収納用とされるとともに、残る１列の第３パイプ列２２Ｃはウッドクラブ（メタルウッドを含む）収納用とされている。第１および第２パイプ列２２Ａ，２２Ｂと比較して第３パイプ列２２Ｃは保持具２２が１本少ないので、第３パイプ列２２Ｃは保持具２２が左右２本ずつに分かれ、その中央には１本分のスペースが開けられている。
【００４５】
アイアンおよびパター収納用の第１および第２パイプ列２２Ａ，２２Ｂに属する計１０本の保持具２２はそれぞれ、各１本のクラブをグリップ側から差し込んでヘッドを各保持具２２の上端部にて係合保持するとともにグリップおよびシャフトを全長に亙って収容するよう構成されている。また、ウッド収納用の第３パイプ列２２Ｃに属する保持具２２はそれぞれ、各１本のクラブをグリップ側から差し込んでそのグリップおよびシャフトのほぼ全部を収容するように構成されている。ウッドクラブは長いので、ヘッドを保持具２２の上端部に係合保持することは想定していない。ウッドクラブはそのグリップおよびシャフトを保持具２２に差し込むのみとされる。
【００４６】
上記パイプ状保持具２２は、収容したクラブのヘッド同士が干渉して傷付くことがないように保持具２２の上端部に列毎の高低差が設定されており、具体的には、中央の第２パイプ列２２Ｂが前後の第１および第３パイプ列２２Ａ，２２Ｃよりも高く設定されている。
【００４７】
また、収容したクラブのヘッドが保持具２２の上端部と擦れ合って傷付くことがないように保持具２２の上端部に軟質樹脂またはゴム等の軟質材よりなる筒状のヘッド保護体２３が取り付けられており、このうちアイアン４本およびパター１本を収容する第２パイプ列２２Ｂに属する保持具２２に取り付けられた保護体２３にはそれぞれ、各クラブのヘッドの向きをバッグ正面側へ揃えて収容すべくヘッドを係合するための切欠部２４がバッグ正面側へ向きを揃えて設けられている。尚、この第２列の５本の保持具２２のうち中央の１本にはここにパターを収容するので、この中央の１本のみは保護体２３の形状が他のものとは異なるように形成され、保護体２３の高さも高く形成されている。図６、図８および図９はそれぞれ、この切欠部２４にヘッドＨを係合した状態を示している。
【００４８】
また、アイアン５本を収容する第１パイプ列２２Ａに属する保持具２２に取り付けられた保護体２３にはそれぞれ、各クラブのヘッドの向きをバッグ正面側へ揃えて収容すべくヘッドを係合するための切欠部２４がバッグ正面側へ向きを揃えて設けられており、また併せて、これらの保護体２３にはその１８０度対称位置にも切欠部２５が設けられ、その利用を選択可能とされている。図８および図９はバッグ正面側の切欠部２４にヘッドＨを係合した状態を示し、図６はバッグ背面側の切欠部２５にヘッドＨを係合した状態をそれぞれ示している。各保護体２３の上端開口は、クラブを出し入れし易いように若干ラッパ状に拡径され、かつバッグ正面背面方向に長径を向けた楕円形状もしくは長円形状に形成されている。
【００４９】
また、上記軟質材よりなる保護体２３は、列ごとに一体の成形品として成形されている。すなわち図１１（Ａ）に示すように、第１パイプ列２２Ａに属する保護体２３は５つが１列に並んだ状態で一体成形品２３Ａとして成形されており、各保護体２３の上縁部には上記したように切欠部２４，２５が２箇所ずつ１８０度対称位置に形成されている。また図１１（Ｂ）に示すように、第２パイプ列２２Ｂに属する保護体２３はこれも５つが１列に並んだ状態で一体成形品２３Ｂとして成形されており、各保護体２３の上縁部には上記したように切欠部２４が１箇所ずつ形成されている。尚、中央のパター用の保護体２３の形状が他と異なっていることは上記したとおりである。また図１１（Ｃ）に示すように、第３パイプ列２２Ｃに属する保護体２３は、左右２つずつの間にスペーサー２６が配置されてこれらが１列に並んだ状態で一体成形品２３Ｃとして成形されている。この第３パイプ列２２Ｃに属する保護体２３には上記した理由により切欠部は設けられていない。
【００５０】
また、上記アイアン収納用の第１および第２パイプ列２２Ａ，２２Ｂに属する計９つの保護体２３に設けられた切欠部２４，２５はそれぞれ、その形状を正面から見てＶ字形とされており、これにより所定のロフト角をもったアイアンヘッドを安定良く保持することが可能とされている。Ｖ字形はこれに代えてＷ字形等であっても良い。また、パター収納用の第２パイプ列２２Ｂ中央の保護体２３に設けられた切欠部２４は、パターヘッドの形状がアイアンヘッドとは異なることから、その形状を正面からみて略Ｕ字形とされている。
【００５１】
上記第１パイプ列２２Ａと第２パイプ列２２Ｂとの間には、所定の大きさの間隔ｃ１（図１５（Ａ）参照）が設定されており、この間隔ｃ１によるスペース内に、中央構造体２１の他の構成要素として、ボールや衣服等の小物を収容するための小物入れ３１が設けられている。
【００５２】
この小物入れ３１は、図１２および図１３に単品図を示すように、上記スペースにちょうど収まるよう縦長の長方体形状のものとして、防水性を備えたビニルや合成皮革等によって立体的に縫製されている。また、この小物入れ３１には中仕切り３２が設けられて内部に上下３段の収容部３３が設けられており、このうち最上段の収容部３３はその上面に開口部３３ａを有し、この開口部３３ａから中袋３４等を出し入れする。また、中段および下段の収容部３３はそれぞれ横手側面に開口部３３ｂを有し、これらの開口部３３ｂにはそれぞれファスナ付きの開閉扉３５が設けられている。第１および第２パイプ列２２Ａ，２２Ｂに属する保持具２２はその下端部を底部１１に差込み固定されるとともに上端部近傍にて保持枠２７に拘束されることにより全体として保持されているので、小物入れ３１はこれらの間に挟み込まれるようにして保持されている。また、小物入れ３１の側面には、保持具２２に収納したアイアンクラブを纏めて固定するための固定ベルト３６が取り付けられている。
【００５３】
また、上記パイプ状保持具２２において、ウッドクラブ収納用の第３パイプ列２２Ｃは、隣の第２パイプ列２２Ｂに対して図１４に示す連結具４１を介して連結されており、この連結具４１の作動によって第３パイプ列２２Ｃはその上端部が第２パイプ列２２Ｂの上端部から離れる方向に所定の角度をもって傾倒動作することが可能とされている。
【００５４】
すなわち、図１５（Ａ）に示すように、第１および第２パイプ列２２Ａ，２２Ｂの間には上記したように間隔ｃ１が設定されているが、第２および第３パイプ列２２Ｂ，２２Ｃ間は間隔なしで接近配置されており、この状態は、当該バッグ１をコンパクトにはできるものの、このままではクラブを出し入れしにくいことから、同図（Ｂ）に示すように、第３パイプ列２２Ｃを所定の角度θをもって傾倒動作させ、これにより第２および第３パイプ２２Ｂ，２２Ｃ間に所定の大きさの間隔ｃ２を設定してクラブを出し入れし易くするように構成されている。
【００５５】
図１４に示した連結具４１は、第２パイプ列２２Ｂ側に固定される固定金具４２を有しており、この固定金具４２に取手４４付きの揺動片４３の一端部が軸４５を中心としてバネ４６で付勢されて回転可能に取り付けられている。またこの連結具４１は、反対側の第３パイプ列２２Ｃ側に固定される第２固定金具４７を有しており、この第２固定金具４７に支持されたスライド軸４８が、揺動片４３に設けた左右一対の長穴４９に差し通されて長穴４９の長手方向にスライド可能とされている。長穴４９の端部には鉤状のロック部４９ａが設けられている。したがって、この連結具４１を操作し揺動作動させることによって、第３パイプ列２２Ｃを垂直状態（図１５（Ａ））または傾倒状態（図１５（Ｂ））の何れかに固定できるように構成されている。
【００５６】
また、上記六面図および斜視図に示したように、下端部をバッグ底部１１に支持されるとともに上端部に軟質材よりなるヘッド保護体２３を取り付けた各パイプ状保持具２２は、その全長に亙ってバッグ１外部から視認可能であって当該バッグ１の外観上の構成要素をなしており、よって当該バッグ１は複数のパイプ状保持具２２が主要な外観上の構成要素をなす特異な構造体とされている。
【００５７】
上記構成のキャディーバッグ１には、例えば以下のように１セット１４本のクラブを収容する。ア、イ、ウ・・・・の配置については図１０を参照されたい。
第１パイプ列２２Ａ
第１保持具（ア）：Ｓ
第２保持具（イ）：ＡＷ
第３保持具（ウ）：ＰＷ
第４保持具（エ）：９番アイアン
第５保持具（オ）：８番アイアン
第２パイプ列２２Ｂ
第６保持具（カ）：７番アイアン
第７保持具（キ）：６番アイアン
第８保持具（ク）：パター
第９保持具（ケ）：５番アイアン
第１０保持具（コ）：４番アイアン
第３パイプ列２２Ｃ
第１１保持具（サ）：５番ドライバ
第１２保持具（シ）：３番ドライバ
第１３保持具（ス）：１番ドライバ
第１４保持具（セ）：７番ドライバ
【００５８】
以上のように１セット１４本のクラブが整然と並べられていれば、各クラブの番手がはっきりと見えることからゲーム中に適切なクラブを探す時間を必要とせず、よってゲームの連続性やプレーヤーの集中力を保障することができる。また上記各部の構成により本発明所期の目的どおり、複数のクラブを整然と収容することができ、クラブ同士が互いに干渉することがなく、しかも使い勝手が良好で優れた利便性を発揮することが可能なゴルフ用キャディーバッグ１を提供することができる。詳細は以下のとおりである。
【００５９】
すなわち先ず、上記構成のバッグ１においては、各１本のクラブをグリップ側から差し込んで収容する複数（１４本）のパイプ状保持具２２が設けられているために、このパイプ状保持具２２にクラブを１本ずつ差し込んで収容することにより、複数のクラブを整然と収容することが可能とされている。したがって、収容したクラブのシャフト同士が干渉して異音が発生したり傷付いたりするのを防止することができ、またプレー時においてもクラブの選定、出し入れ、本数確認等を容易に行なうことができる。
【００６０】
また、複数のパイプ状保持具２２が３列に整列配置され、このうち第１および第２パイプ列２２Ａ，２２Ｂよりなる２列はアイアンクラブおよびパタークラブ収納用とされるとともに残る第３パイプ列２２Ｃよりなる１列はウッドクラブ収納用とされているために、クラブを種類ごとに整列配置することが可能とされている。したがって、複数のクラブを種類ごとに整然と収容することができ、上記クラブの選定や出し入れ等を一層容易化することができる。
【００６１】
また、当該バッグ１を引き摺って走行させるためのキャスタ１２およびこのキャスタ１２とともに当該バッグ１を自立させるための接地部１３を設けたバッグ底部１１が設けられているために、キャスタ１２によって当該バッグ１を引き摺って走行させることが可能とされ、キャスタ１２および接地部１３によって当該バッグ１を自立させることが可能とされている。したがって、バッグ１を単に持ち運びするのみでなく引き摺って走行させたり自立させたりすることができるので、バッグ１全体の取り扱いの観点からして利便性を向上させることができる。
【００６２】
また、パイプ状保持具２２に収容したクラブのヘッド同士が干渉して傷付くことがないようにパイプ状保持具２２の上端部に列毎の高低差が設定されているために、収納したクラブのヘッドを異なる高さ位置に保持することが可能とされている。したがって、収納したクラブのヘッド同士が干渉するのを防止することができ、ヘッド同士が干渉して異音が発生したり傷付いたりするのを未然に防止することができる。
【００６３】
また、パイプ状保持具２２に収容したクラブのヘッドがパイプ状保持具２２の上端部と擦れ合って傷付くことがないようにパイプ状保持具２２の上端部に軟質材よりなるヘッド保護体２３が設けられているために、収納したクラブのヘッドがパイプ状保持具２２の上端部と擦れ合うのを防止することが可能とされている。したがって、収納したクラブのヘッドがパイプ状保持具２２と擦れ合って傷付くのを未然に防止することができる。
【００６４】
また、第２パイプ列２２Ｂに属するヘッド保護体２３にヘッドの向きを揃えて収容すべくヘッドを係合するための切欠部２４がバッグ正面側へ向きを揃えて設けられているために、ヘッドの向きを揃えて並べることができ、ヘッド同士が干渉するのを防止することが可能とされている。したがって、収納したクラブのヘッドを同じ向きに整然と並べることができるとともに、ヘッド同士が干渉して異音が発生したり傷付いたりするのを未然に防止することができる。
【００６５】
また、第３パイプ列２２Ｃに属するヘッド保護体に切欠部２４，２４が１８０度対称位置に２箇所ずつ設けられているために、この対称配置された切欠部２４，２５の何れを使用するかによってヘッドを揃える向きを選択することが可能とされている。したがって、プレー時には、クラブを出し入れし易い向き、バッグ移送時などプレーしていないときには、クラブをコンパクトに収容できる向きに揃えると云うように使い分けをすることが可能となり、よってこの分、利便性を向上させることができる。
【００６６】
また、第１および第２パイプ列２２Ａ，２２Ｂ間に間隔ｃ１が設定されてここにボールや衣服等の小物を収容するための小物入れ３１が設けられているために、当該バッグ１にはボールや衣服等の各種の小物を収容することが可能とされている。したがって、バッグ１の収容性能の観点からして利便性を向上させることができる。
【００６７】
また、上記小物入れ３１に上下３段の収容部３３が設けられ、このうち最上段の収容部３３はその上面に開口部３３ａを有し、他の収容部３３はその横手側面に開口部３３ｂを有しているために、収容部３３ごとに小物を収容することが可能とされている。したがって、バッグ１の収容性能の観点からして利便性を一層向上させることができる。
【００６８】
また、第３パイプ列２２Ｃが隣の第２パイプ列２２Ｂに対して連結具４１を介して連結され、この連結具４１の作動により第３パイプ列２２Ｃの上端部が第２パイプ列２２Ｂの上端部から離れる方向に所定の角度θをもって傾倒可能とされているために、第３パイプ列２２Ｃを傾倒させることによりこの第３パイプ列２２Ｃの上端部を必要なときのみ第２パイプ列２２Ｂの上端部から離間させることが可能とされている。したがって、バッグ移送時などプレーしていないときには第３パイプ列２２Ｃを第２パイプ列２２Ｂに近付けておくことによりコンパクトな収容が可能となる。また、プレー時には第３パイプ列２２Ｃを傾倒させて第２パイプ列２２Ｂから離間させることにより第３パイプ列２２Ｃの保持具２２の上端開口部を第２パイプ列２２Ｂの保持具２２の上端開口部から離間させることができ、クラブの出し入れを容易化することができる。
【００６９】
更にまた、パイプ状保持具２２がそのほぼ全長に亙って当該バッグ１の外部から視認可能であって当該バッグ１の外観上の構成要素をなしているために、当該バッグ１においては、このパイプ状保持具２２がバッグ１の外面ないし外周面を形成し、よってこの保持具２２を被覆する被覆体は設ける必要がない。したがって、クラブを１本ずつ仕分け収納する機能を有するパイプ状保持具２２がそのままバッグ１の外面ないし外周面を兼ねると云う特徴的構造を有するキャディーバッグ１を提供することができる。
【図面の簡単な説明】
【００７０】
【図１】（Ａ）は本発明の実施例に係るキャディーバッグの左側面図、（Ｂ）は同バッグの正面図
【図２】（Ａ）は同バッグの右側面図、（Ｂ）は同バッグの背面図
【図３】（Ａ）は同バッグの平面図、（Ｂ）は同バッグの底面図
【図４】同バッグの斜視図
【図５】同バッグの斜視図
【図６】キャップ体を取り除いた状態を示す同バッグの斜視図
【図７】キャップ体を取り外した状態を示す同バッグの斜視図
【図８】キャップ体を取り外した状態を示す同バッグの斜視図
【図９】キャップ体を取り外した状態を示す同バッグの斜視図
【図１０】中央構造体の上部拡大斜視図
【図１１】（Ａ）（Ｂ）（Ｃ）とも保護体一体形成品の斜視図
【図１２】小物入れの斜視図
【図１３】（Ａ）は小物入れの側面図、（Ｂ）は小物入れの正面図
【図１４】（Ａ）は連結具の斜視図、（Ｂ）は連結具の分解斜視図
【図１５】（Ａ）は第３パイプ列の直立状態を示す側面図、（Ｂ）は第３パイプ列の傾倒状態を示す側面図
【図１６】従来例に係るキャディーバッグの説明図
【符号の説明】
【００７１】
１  キャディーバッグ
１１  バッグ底部
１２  キャスタ
１３  接地部
２１  中央構造体
２２  パイプ状保持具
２２Ａ  第１パイプ列
２２Ｂ  第２パイプ列
２２Ｃ  第３パイプ列
２３  ヘッド保護体
２３Ａ，２３Ｂ，２３Ｃ  ヘッド保護体一体成形品
２４，２５  切欠部
２６  スペーサー
２７  保持枠
３１  小物入れ
３２  中仕切り
３３  収容部
３３ａ，３３ｂ  開口部
３４  中袋
３５  開閉扉
３６  固定ベルト
４１  連結具
４２，４７  固定金具
４３  揺動片
４４，５３  取手
４５  軸
４６  バネ
４８  スライド軸
４９  長穴
４９ａ  ロック部
５１  キャップ体
５２  連結ベルト
Ｈ  ヘッド
【図１】
2007054336.tif 000003
【図２】
2007054336.tif 000004
【図３】
2007054336.tif 000005
【図４】
2007054336.tif 000006
【図５】
2007054336.tif 000007
【図６】
2007054336.tif 000008
【図７】
2007054336.tif 000009
【図８】
2007054336.tif 000010
【図９】
2007054336.tif 000011
【図１０】
2007054336.tif 000012
【図１１】
2007054336.tif 000013
【図１２】
2007054336.tif 000014
【図１３】
2007054336.tif 000015
【図１４】
2007054336.tif 000016
【図１５】
2007054336.tif 000017
【図１６】
2007054336.tif 000018